(57)【要約】行と列のアレイに配列された複数のカラー個別指定可能表示素子（２）と；たとえばレンティキュラー要素（１６）のような複数の光指向要素を有するたとえばレンティキュラー・シート（１５）のような光指向手段とを有する裸眼立体視ディスプレイ装置であって；行方向（４）における個別指定可能表示素子（２）の色の順序が隣り合う個別指定可能表示素子（２）からなる三つ組（２１；２３；２４）を与え、ある三つ組（２１；２３；２４）の個別指定可能表示素子（２）のそれぞれはディスプレイの色（R、G、B）のそれぞれの色であり；三つ組（２１；２３；２４）内での個別指定可能表示素子（２）の内部的な色の順序は、行方向（４）と列方向（６）の少なくとも一方では、異なる三つ組（２１；２３；２４）については異なるようになっている、裸眼立体視ディスプレイ装置。
2008537160.tif 000002
【特許請求の範囲】
【請求項１】
行と列のアレイに配列された複数のカラー個別指定可能表示素子と；
複数の光指向要素を有する光指向手段とを有する裸眼立体視ディスプレイ装置であって：
行方向における個別指定可能表示素子の色の順序が隣り合う個別指定可能表示素子からなる三つ組を与え、ある三つ組の個別指定可能表示素子のそれぞれはディスプレイの色のそれぞれの色であり；
三つ組内での個別指定可能表示素子の内部的な色の順序は、行方向と列方向の少なくとも一方では、異なる三つ組については異なるようになっている、
裸眼立体視ディスプレイ装置。
【請求項２】
三つ組内での個別指定可能表示素子の内部的な色の順序が、行方向および列方向のうち少なくとも一方において、隣り合う三つ組のそれぞれについて異なっている、請求項１記載の裸眼立体視ディスプレイ装置。
【請求項３】
三つ組内での個別指定可能表示素子の内部的な色の順序が、行方向および列方向のうち少なくとも一方において、異なる三つ組の間では巡回されたものでる、請求項１または２記載の裸眼立体視ディスプレイ装置。
【請求項４】
三つ組内での個別指定可能表示素子の内部的な色の順序が、行方向および列方向のうち少なくとも一方において、異なる三つ組について異なっていて、行方向および列方向のうち前記少なくとも一方の隣り合う個別指定可能表示素子どうしは常に互いに異なる色である、請求項１ないし３のうちいずれか一項記載の裸眼立体視ディスプレイ装置。
【請求項５】
前記光指向手段の光指向要素は、個別指定可能表示素子のアレイの列方向に対して斜めの角度で配置される、請求項１ないし４のうちいずれか一項記載の裸眼立体視ディスプレイ装置。
【請求項６】
裸眼立体視ディスプレイ・モードと２Ｄディスプレイ・モードとの間で切り換え可能であるようにする切り換え手段をさらに有する、請求項１ないし５のうちいずれか一項記載の裸眼立体視ディスプレイ装置
【請求項７】
ディスプレイの色が赤、緑および青である、請求項１ないし６記載の裸眼立体視ディスプレイ装置。
【請求項８】
ディスプレイにおいて使用するためのカラー・フィルタであって、行と列のアレイに配列された複数の個別カラー・フィルタ素子を有しており、行方向におけるカラー・フィルタ素子の色の順序が隣り合う個別カラー・フィルタ素子の三つ組を与え、ある三つ組の個別カラー・フィルタ素子のそれぞれはカラー・フィルタの色うちのそれぞれの色であり；
三つ組内での個別カラー・フィルタ素子の内部的な色の順序は、行方向と列方向の少なくとも一方では、異なる三つ組については異なるようになっている、カラー・フィルタ。
【請求項９】
三つ組内での個別カラー・フィルタ素子の内部的な色の順序が、行方向および列方向のうち少なくとも一方において、隣り合う三つ組のそれぞれについて異なっている、請求項８記載のカラー・フィルタ。
【請求項１０】
三つ組内での個別カラー・フィルタ素子の内部的な色の順序が、行方向および列方向のうち少なくとも一方において、異なる三つ組の間では巡回されたものである、請求項８または９記載のカラー・フィルタ。
【請求項１１】
三つ組内での個別カラー・フィルタ素子の内部的な色の順序が、行方向および列方向のうち少なくとも一方において、異なる三つ組について異なっていて、行方向および列方向のうち前記少なくとも一方の隣り合う個別カラー・フィルタ素子どうしは常に互いに異なる色である、請求項８ないし１０のうちいずれか一項記載のカラー・フィルタ。
【請求項１２】
カラー・フィルタの色が赤、緑および青である、請求項８ないし１１のうちいずれか一項記載のカラー・フィルタ。
【発明の詳細な説明】
【技術分野】
【０００１】
本発明は、カラー裸眼立体視ディスプレイ装置に関する。本発明は特に、これに限られないが、裸眼立体視ディスプレイ・モードと二次元（２Ｄ）ディスプレイ・モードとの間で切り換え可能な裸眼立体視ディスプレイ装置に関する。
【背景技術】
【０００２】
立体ディスプレイは、異なる視点での異なる部分画像からなる画像を提供する。好適に調整されれば、異なる部分画像（すなわち適切な両眼像差をもつもの）が観察者の左目と右目に与えられ、全体としての画像は観察者によって三次元画像として知覚される。異なる画像を与えるある既知の方法は、色成分を変えることによるもので、観察者が左右で色吸収の異なるレンズをもつ特殊な眼鏡をかけることを必要とする。
【０００３】
観察者が特殊な眼鏡をかける必要なく異なる視点での異なる部分画像からなる画像を提供する立体ディスプレイは、裸眼立体視ディスプレイとして知られている。典型的な裸眼立体視ディスプレイは、行と列に配列された表示素子のアレイを有するマトリクス液晶ディスプレイ（LCD）パネルを有する。該ディスプレイはさらに、表示素子のアレイからの出力光を、ディスプレイ上の所与の点から与えられる視覚出力が見る角度に依存するように指向させる。これは、観察者の右目は左目が見るのとは異なるビューを見ることになり、所望の立体画像すなわち三次元画像を与えるということを意味する。
【０００４】
出力光指向手段のあるよく知られた形は、ディスプレイ・パネルにかぶせるレンティキュラー・シートである。レンティキュラー・シート、たとえば鋳型成形または機械加工されたポリマー材料のシートの形もので、ディスプレイ・パネルの出力側にかぶさる。レンティキュラー・シートのレンティキュラー要素は列方向に延在する（半）円筒レンズ要素で、各レンティキュラー要素は表示素子の二つ以上の隣接する列の一グループに関連付けられており、該表示素子の列と平行に延在する。各レンティキュールが表示素子２列に関連付けられる構成では、ディスプレイ・パネルは、垂直でインターリーブされた２枚の２Ｄ部分画像を含む合成画像を表示するよう駆動される。表示素子の交互の列がその２枚の画像を表示し、各列の表示素子がそれぞれの２Ｄ部分画像の垂直スライスを与えるのである。レンティキュラー・シートがこれら２つのスライスを、そして残りのレンティキュールに関連付けられた表示素子の列からの対応するスライスをも、シートの前にいる観察者のそれぞれ左目と右目に指向させ、それにより部分画像が適切な両眼像差を有していれば、観察者は単一の立体画像を知覚する。各レンティキュールが行方向に二つ以上の隣接する表示素子のグループに関連付けられ、各グループ内の対応する表示素子の列がそれぞれの２Ｄ（部分）画像からの垂直スライスを与えるよう適切に構成されているほかの、いわゆるマルチビュー構成では、観察者の頭が動くにつれて、一連の逐次的な異なる立体視ビューが知覚され、たとえばより高い度合いの見る自由および／または見回す印象が作り出される。
【０００５】
この種の裸眼立体視ディスプレイ装置はさまざまな用途のために使用できる。たとえば、医療撮像、仮想現実感、ゲーム、移動電話およびCADといった分野である。
【０００６】
２Ｄ動作と裸眼立体視動作の間で切り換え可能な裸眼立体視ディスプレイ装置は既知である。これはたとえば、拡散と非拡散の間で切り換え可能な拡散層を設け、拡散状態がレンティキュラー・レンズの光指向効果を打ち消し、それにより裸眼立体視ビューを２Ｄビューに帰着させることによって提供される。
【０００７】
典型的には、裸眼立体視モードでは、所与のピクセルにおいて、行方向に沿って複数の異なるビューのために、所与の色の別個の個別指定可能表示素子（individually  addressable  display  element）を設けるため、空間解像度が失われる。これは、各ピクセルについて３つ以上、たとえば６つの異なるビューが設けられるマルチビュー構成の場合にはさらに悪化する。すなわち、６ビューの場合、各ピクセルにおいて、所与の色について６つの個別指定可能表示素子があるのである。これは「行に沿った」方向（以下では「行方向」と称される）において空間解像度を６分の１に低下させる。
【０００８】
裸眼立体視ディスプレイにおける上で論じたような空間解像度の損失の効果は、たとえばEP-A-0791847において開示されたように、ピクセルの列方向に対して、レンティキュラー・レンズを斜めにする配向の使用によって軽減された。おおまかにいって、そのような構成は解像度の損失を行方向と列方向の間で「分担する」傾向があるので、特に数が多めのマルチビュー・ディスプレイについて行方向における解像度の突出を減らすことになる。
【０００９】
しかしながら、斜めのレンティキュラー・レンズの型の装置の恩恵は、ビューの数、それにピクセル・ピッチおよびその他の因子に依存するので、そのような裸眼立体視ディスプレイには、事実上内在的な性能および／または設計上の柔軟性の制限が存在する。そのような制限のさらなる詳細は、論文“Image  preparation  for  3D-LCD”,  Cees  van  Berkel,  proc  SPIE,  vol.  3639,  pp.  84-91,  1999で論じられている。
【００１０】
上述した制限は、少なくとも部分的には、従来式のカラー・フィルタ・レイアウト、特に、各色、赤・青・緑の個別指定可能表示素子の相対配列の使用から帰結する幾何学的な制限に由来する。図１（縮尺は正確ではない）は、従来式のカラー・フィルタ１における各色、赤・青・緑（それぞれR、G、Bと示す）の個別指定可能表示素子２の従来式のレイアウトを示している。色は、行方向４には、赤、次いで緑、次いで青の反復サイクルに配置されている。これは、所与の列で、すなわち列方向６ではすべての個別指定可能表示素子２が同じ色になるという結果を生じる。すなわち、図１で、第１列の個別指定可能表示素子２はすべて赤、第２列の個別指定可能表示素子２はすべて緑、第３列の個別指定可能表示素子２はすべて青、第４列の個別指定可能表示素子２はすべて赤、などとなる。
【００１１】
図１に示したような従来式のカラー・フィルタの制限効果のいくらかを、各色、赤・青・緑の個別指定可能表示素子の異なるレイアウトの採用により軽減する裸眼立体視ディスプレイ装置が、さまざまな従来技術の参考文献により開示されている。たとえば、EP-A-0791847は、所与の列の個別指定可能表示素子すべてが同じ色になる構成を開示しており、EP-A-0791847およびWO2005/006777はいずれも行内の複数の隣接する個別指定可能表示素子が同じ第一の色で、同じ行内で他の複数の隣り合う個別指定可能表示素子が互いには同じ第二の色だが前記第一の色とは異なる、などという構成を開示している。そのようなカラー・フィルタ・レイアウトは、所与の色の個別指定可能表示素子を何らかの仕方で行方向においてグループにまとめることによって、裸眼立体視の性能を改善する傾向がある。
【発明の開示】
【発明が解決しようとする課題】
【００１２】
本願発明者は、EP-A-0791847およびWO2005/006777の例について開示されたような裸眼立体視の性能を改善する傾向があるべく意図された既知のカラー・フィルタ・レイアウトは、２Ｄ動作と裸眼立体視動作の間の切り換えが可能なディスプレイ装置の２Ｄ動作に対するそのようなレイアウトの影響を考慮していないことを認識するに至った。本願発明者はさらに、２Ｄ動作に対する害を軽減または解消しつつ、裸眼立体視動作を改善するカラー・フィルタ・レイアウトを導出することが望ましいことを認識するに至った。
【課題を解決するための手段】
【００１３】
第一の側面では、本発明は、裸眼立体視ディスプレイ装置を提供する。本装置は、行と列のアレイに配列された複数のカラー個別指定可能表示素子と；たとえばレンティキュラー要素のような複数の光指向要素を有するたとえばレンティキュラー・シートのような光指向手段とを有しており、行方向における個別指定可能表示素子の色の順序が隣り合う個別指定可能表示素子からなる三つ組を与え、ある三つ組の個別指定可能表示素子のそれぞれはディスプレイの色、たとえばR-G-Bのそれぞれの色であり；三つ組内での個別指定可能表示素子の内部的な色の順序は、行方向と列方向の少なくとも一方では、異なる三つ組については異なるようになっている。
【００１４】
三つ組内での個別指定可能表示素子の内部的な色の順序は、行方向および列方向のうち少なくとも一方において、隣り合う三つ組のそれぞれについて異なっていてもよい。
【００１５】
三つ組内での個別指定可能表示素子の内部的な色の順序は、行方向および列方向のうち少なくとも一方において、異なる三つ組の間では巡回されたものであってもよい。
【００１６】
三つ組内での個別指定可能表示素子の内部的な色の順序は、行方向および列方向のうち少なくとも一方において、異なる三つ組について異なっていて、行方向および列方向のうち前記少なくとも一方の隣り合う個別指定可能表示素子どうしは常に互いに異なる色であってもよい。
【００１７】
光指向手段の光指向要素は、個別指定可能表示素子のアレイの列方向に対して斜めの角度をもって配置されていてもよい。
【００１８】
本裸眼立体視ディスプレイ装置はさらに、たとえば能動レンズまたは切り換え可能拡散器のような切り換え手段を有していて、本裸眼立体視ディスプレイ装置が裸眼立体視ディスプレイ・モードと２Ｄディスプレイ・モードとの間で切り換え可能になっていてもよい。
【００１９】
ディスプレイの色は赤、緑および青であってもよい。
【００２０】
あるさらなる側面では、本発明は、ディスプレイにおいて使用するためのカラー・フィルタを提供する。本カラー・フィルタは、行と列のアレイに配列された複数の個別カラー・フィルタ素子を有しており、行方向におけるカラー・フィルタ素子の色の順序が隣り合う個別カラー・フィルタ素子の三つ組を与え、ある三つ組の個別カラー・フィルタ素子のそれぞれはカラー・フィルタの色うちのそれぞれの色であり；三つ組内での個別カラー・フィルタ素子の内部的な色の順序は、行方向と列方向の少なくとも一方では、異なる三つ組については異なるようになっている。
【００２１】
三つ組内での個別カラー・フィルタ素子の内部的な色の順序は、行方向および列方向のうち少なくとも一方において、隣り合う三つ組のそれぞれについて異なっていてもよい。
【００２２】
三つ組内での個別カラー・フィルタ素子の内部的な色の順序は、行方向および列方向のうち少なくとも一方において、異なる三つ組の間では巡回されたものであってもよい。
【００２３】
三つ組内での個別カラー・フィルタ素子の内部的な色の順序は、行方向および列方向のうち少なくとも一方において、異なる三つ組について異なっていて、行方向および列方向のうち前記少なくとも一方の隣り合う個別カラー・フィルタ素子どうしは常に互いに異なる色であってもよい。
【００２４】
カラー・フィルタの色は赤、緑および青であってもよい。
【００２５】
あるさらなる側面では、本発明は、２Ｄ用三つ組内での色の順序が行方向には、すなわち行に沿っては変わるが、列方向には変わらない、すなわち行から行にかけて変わることはないような裸眼立体視ディスプレイまたはカラー・フィルタを提供する。
【００２６】
あるさらなる側面では、本発明は、２Ｄ用三つ組内での色の順序が列方向には、すなわち行から行にかけては変わるが、行方向には、すなわち行に沿っては変わらないような裸眼立体視ディスプレイまたはカラー・フィルタを提供する。
【００２７】
あるさらなる側面では、本発明は、２Ｄ用三つ組内での色の順序が行方向に、すなわち行に沿っても、列方向に、すなわち行から行にかけても、どちらにも変わるような裸眼立体視ディスプレイまたはカラー・フィルタを提供する。
【００２８】
本発明の実施形態について、これから例として付属の図面を参照しつつ述べる。
【発明を実施するための最良の形態】
【００２９】
図２は、裸眼立体視ディスプレイ手段１０および電気的に切り換え可能な光拡散器８０を有する切り換え可能な（裸眼立体視動作と２Ｄ動作の間で）カラー・ディスプレイ装置８の概略的な斜視図である。
【００３０】
裸眼立体視ディスプレイ１０は、空間光変調器として使われるカラー・アクティブ・マトリクス液晶ディスプレイ（AMLCD）パネル１１を有している。該パネルは、互いに垂直な整列した行と列に配列された個別指定可能表示素子２の平面アレイを有している。すなわち、所与の行（第一行以外）内の個別指定可能表示素子２のそれぞれは、該所与の行の上の行の個別指定可能表示素子２の真下にある。個別指定可能表示素子２のそれぞれの個別的な色はカラー・フィルタ１３によって与えられる。個別指定可能表示素子２は、簡単のため、概略的に、各行および各列に比較的少数しか示されていない。ディスプレイ・パネル１１は光源１４によって照明され、光源１４はいかなる好適な種類のものでもよく、この例では、表示素子アレイの領域と同じ広がりをもつ平面状のバックライトである。前記パネルに入射した光は、適切な駆動電圧の印加により個別指定可能表示素子によって変調され、所望の画像表示出力が生成される。
【００３１】
ディスプレイ・パネル１１の出力側にかぶさって、細長い平行なレンティキュラー要素１６のアレイを設けたレンティキュラー・シート１５が配されている。レンティキュラー要素１６は、光学的に円筒状集束レンティキュールを含み、たとえば、個別指定可能表示素子２の列に平行に延在する凸円筒レンズとして形成され、ディスプレイ・パネル１１のアレイ内で垂直でインターリーブされた仕方で生成される別個の画像を、立体画像すなわち３Ｄ画像が知覚できるよう、観察者の両目に既知の仕方で与える。観察者は、ディスプレイ・パネル１１から離れてレンティキュラー・シート１５の側に面している。マトリクス・ディスプレイ・パネルと一緒にレンティキュラー・シートを使った裸眼立体視ディスプレイ装置はよく知られており、ここでその動作を詳細に述べることは必要ではないと考えられる。そのような装置およびその動作の例は、US-A1-2003/0011884およびGB-A-2196166において記載または参照されている。これら両方の内容はここに参照によって組み込まれる。各レンティキュラー要素１６は、個別指定可能表示素子２の２つ、３つまたはそれ以上の隣り合う列にかぶさることもあり、対応した数のビューを提供する。
【００３２】
各レンティキュラー要素は、関連付けられたピクセル列のそれぞれから、空間的に離散した出力ビームを、互いに異なる角度方向に与える。ディスプレイ・パネルは、各部分ピクセル列によって２Ｄ（部分）画像の細い垂直方向のスライスが生成され、観察者の左目および右目のそれぞれによって見られるべき複数のインターリーブされた２Ｄ（部分）画像をなす表示が生成されるよう駆動される。よって、各レンティキュラー要素１６は、その関連付けられた部分ピクセル列のそれぞれから一つずつ、複数の出力ビームを与える。それらの出力ビームの光軸は互いに異なる方向であり、レンティキュラー要素の長軸のまわりに角度をなして広がっている。表示素子の各列に適切な２Ｄ画像情報が加えられれば、両目で複数のビームのうち異なるものを受ける観察者には、３Ｄ画像が知覚される。各レンティキュラー要素がいくつかの部分ピクセル列のうちの複数に関連付けられるなら、観察者の頭が行方向に動くにつれて異なる立体画像または画像対を見ることができる。他の実施形態では、レンティキュラー要素は実質的に部分ピクセル列と整列していてもよいが、この実施形態では列に対して斜めになっている。これについては、図３を参照しつつ下記でより詳細に述べる。また、EP-A-0791847に記載されており、該文献はここに参照によって組み込まれる。
【００３３】
図３は、カラー・ディスプレイ装置８のカラー・フィルタ１３およびレンティキュラー・シート１５のさらなる詳細を示している（縮尺は正確ではない）。個別指定可能表示素子１６は行と列に配列されている。明快のため、最初の６行と最初の１５列のみを示しているが、ディスプレイはずっと多くの行および列を含む。カラー・フィルタ１３は、個別指定可能表示素子２のそれぞれに対して、赤（Rと示す）、緑（Gと示す）または青（Bと示す）のうちの一つを与える。
【００３４】
個別指定可能表示素子の個別の色、赤・青・緑は次のように配列される。第１行では、最初の９つの要素の順序はR-G-B-G-B-R-B-R-Gであり、次いで次の９つの要素（図３にはそのうち最初の６つの要素のみを示す）についてはこれが繰り返される、などとなる。第２行では順序は第１行と同じである。第３行では、最初の９つの要素の順序はG-B-R-B-R-G-R-G-Bであり、次いで次の９つの要素（図３にはそのうち最初の６つの要素のみを示す）についてはこれが繰り返される、などとなる。第４行では、順序は第２行と同じである。第５行では、最初の９つの要素の順序はB-R-G-R-G-B-G-B-Rであり、次いで次の９つの要素（図３にはそのうち最初の６つの要素のみを示す）についてはこれが繰り返される、などとなる。第６行については、順序は第５行と同じである。第７行ないし第１２行（図示せず）は最初の６行の配置を繰り返す、などとなる。
【００３５】
レンティキュラー・シート１５は縦のレンティキュラー要素１６を含む。レンティキュラー要素１６は、個別指定可能表示素子２の列に対して斜めに配置される。すなわち、レンティキュラー要素１６の主たる長軸７は、個別指定可能表示素子２のアレイの列方向６に対して角度αをなす。
【００３６】
レンティキュラー要素１６のピッチは、要求されるビューの数に応じて、個別指定可能表示素子２の列方向４のピッチとの関係で選ばれる。各レンティキュラー要素１６は、表示素子アレイの両側のものは別として、表示素子アレイの上端から下端まで延在する。この実施形態では、裸眼立体視ディスプレイ１０は６ビューのディスプレイである。すなわち、レンティキュラー要素１６は、行内での個別指定可能表示素子２のピッチに対してそのような幅であり、傾き角αは６ビュー構成を提供するようなものである。ビューの数に関係したさらなる詳細はEP-A-0791847で挙げられており、この文献はここに参照によって組み込まれる。
【００３７】
例として、図３は、裸眼立体視ディスプレイ装置１０の裸眼立体視動作によって提供される６つのビューの一つを示している。具体的には、例のビュー（６つの全体的なビューのうちの一つ）において個別指定可能表示素子２のうち観察者に見えるものが、図３では中心に描いた「○」によって示されており、さらに個別指定可能表示素子２ａ，２ｂ，２ｃ，２ｄ，２ｅ，２ｆ，２ｇ，２ｈ，２ｉ，２ｊ，２ｋ，２ｌ，２ｍ，２ｎおよび２ｐとして個々に同定されている。これらの個別指定可能表示素子２ａ，２ｂ，２ｃ，２ｄ，２ｅ，２ｆ，２ｇ，２ｈ，２ｉ，２ｊ，２ｋ，２ｌ，２ｍ，２ｎおよび２ｐはそれぞれレンティキュラー・シート１５のレンティキュラー要素１６の中心線長軸（図示せず）の上に載っていることを注意しておく。動作では、これら種々の個別指定可能表示素子２の駆動は、各色１つずつで３つの個別指定可能表示素子２が、所与の裸眼立体視ビューにおいて観察者が見る一つのカラー画素（ピクセル）を提供する、個別指定可能表示素子２の三つ組をなすように行われる。前記の個別指定可能表示素子２ａ，２ｂ，２ｃ，２ｄ，２ｅ，２ｆ，２ｇ，２ｈ，２ｉ，２ｊ，２ｋ，２ｌ，２ｍ，２ｎおよび２ｐによって与えられる特定のビューについて、図３にはそのような裸眼立体視の三つ組／ピクセルが三つ、三角形によって描かれている。三角形は、前記それぞれの三つ組／ピクセルを形成する３つの個別指定可能表示素子を結んで描かれている。すなわち、第一の裸眼立体視三つ組２０ａ、第二の裸眼立体視三つ組２０ｂ、第三の裸眼立体視三つ組２０ｃである。第一の裸眼立体視三つ組２０ａは、赤の個別指定可能表示素子２ａ、緑の個別指定可能表示素子２ｂおよび青の個別指定可能表示素子２ｆからなる。第二の裸眼立体視三つ組２０ｂは、赤の個別指定可能表示素子２ｄ、緑の個別指定可能表示素子２ｅおよび青の個別指定可能表示素子２ｉからなる。第三の裸眼立体視三つ組２０ｃは、赤の個別指定可能表示素子２ｇ、緑の個別指定可能表示素子２ｈおよび青の個別指定可能表示素子２ｌからなる。このビューにおいて見られる残りの個別指定可能表示素子２ｃ、２ｊ、２ｋ、２ｍ、２ｎおよび２ｐも、裸眼立体視三つ組／ピクセルを形成するのに貢献するが、図３で例として示されている具体的な６行９列の外の個別指定可能表示素子２を含むので、図３では線で結んだ三角形によって表すことはできない。
【００３８】
所与のビューのための裸眼立体視三つ組／ピクセル２０ａ、２０ｂ、２０ｃ（および図示していない他のもの）の前記配置ならびに６ビュー立体ディスプレイの残りの５つのビューについての裸眼立体視三つ組／ピクセルの対応する配置は、裸眼立体視動作の点でさまざまな理由により有利である。たとえば、空間解像度の損失（２Ｄビューに比べたときの）が行方向４と列方向６の間で分担される。すなわち、全体的な因子１／６の解像度の損失は、行方向４での因子１／２の損失と、列方向６での因子１／３の損失に分配されるのである。さらに、この効率的な裸眼立体視の構成は、普通なら比較として図１に示した従来式のカラー・フィルタ１の色配列の使用から帰結するような、ビューの数、ピクセル・ピッチなどの自由度に対する設計上の制約なしに達成される。
【００３９】
しかしながら、裸眼立体視動作だけの点での上記の利点にもかかわらず、本実施形態の（裸眼立体視動作と２Ｄ動作との間で）切り換え可能なカラー・ディスプレイ装置８の２Ｄ動作の点でのさらなる重要な恩恵について、図４を参照しつつこれから述べる。
【００４０】
（裸眼立体視動作と２Ｄ動作との間で）切り換え可能なカラー・ディスプレイ装置８は、拡散器８０を拡散状態に切り換えることによって２Ｄモードで動作させられる。該切り換えにより、レンティキュラー・シート１５の指向効果が打ち消されるのである。さらに、２Ｄ動作の間、個別指定可能表示素子２の駆動は、行内の３つの隣り合う個別指定可能表示素子２が、従来式の仕方で２Ｄカラー三つ組／ピクセルとしてはたらくように行われる。
【００４１】
図４は、例として、カラー・ディスプレイ装置８のカラー・フィルタ１３のこれら２Ｄ用三つ組のいくつかを示している。（図４にはレンティキュラー・シート１５は示されていないことを注意しておく。部分的には明確のためであるが、２Ｄ動作モードでは実質的に何の効果もないからである。）
図４は、特に、第一の２Ｄ用三つ組２１ａ、第二の２Ｄ用三つ組２１ｂ、第三の２Ｄ用三つ組２１ｃ、第四の２Ｄ用三つ組２１ｄ、第五の２Ｄ用三つ組２１ｅおよび第六の２Ｄ用三つ組２１ｆを示している。最初の５つの三つ組２１ａ〜２１ｅは第１行にあり、六番目の三つ組２１ｆは第２行にある。第１行および第２行で繰り返される個別指定可能表示素子２R-G-B-G-B-R-B-R-G色配列の結果として、種々の三つ組におけるそれぞれの個別指定可能表示素子２の色の順序は次のようになる：
第一の２Ｄ用三つ組２１ａにおける個別指定可能表示素子２の各色の順序はR-G-B；
第二の２Ｄ用三つ組２１ｂにおける個別指定可能表示素子２の各色の順序はG-B-R；
第三の２Ｄ用三つ組２１ｃにおける個別指定可能表示素子２の各色の順序はB-R-G；
第四の２Ｄ用三つ組２１ｄにおける個別指定可能表示素子２の各色の順序はR-G-B（すなわち、第一の２Ｄ用三つ組２１ａの繰り返し）；
第五の２Ｄ用三つ組２１ｅにおける個別指定可能表示素子２の各色の順序はG-B-R（すなわち、第二の２Ｄ用三つ組２１ｂの繰り返し）；
以下、第１行については同様である。すなわち、第１行の次の２Ｄ用三つ組（図示せず）はB-R-G、すなわち第三の２Ｄ用三つ組２１ｃの繰り返しとなり、この行に沿って、三つ組２１ａ〜２１ｃに対応する３つの三つ組のセットが繰り返される；
第２行は第１行の繰り返しであり、第２行の第一の三つ組、すなわち図４に示す第六の２Ｄ用三つ組２１ｆはR-G-B、すなわちその上に位置する三つ組、すなわち第１行の第一の三つ組２１ａと同じである、
カラー・フィルタ１３における個別指定可能表示素子２の上記の色配列は、２Ｄ用三つ組２１ａ〜２１ｆに関しては、三つ組内の内部的な色の順序が変化する、具体的には、ある三つ組を行に沿った隣の三つ組みと比べたとき巡回またはシフトされるよう配列されているものと考えてもよい。すなわち、たとえば第一の２Ｄ用三つ組２１ａでは、内部的な色の順序はR-G-Bである。すなわち、赤の色がその三つ組の最初（すなわち左側）の個別指定可能表示素子２を占め、緑の色がその三つ組の二番目（すなわち中央）の個別指定可能表示素子２を占め、最後に青の色がその三つ組の三番目（すなわち右側）の個別指定可能表示素子２を占める。一方、隣の第二の２Ｄ用三つ組２１ｂでは、内部的な色の順序はG-B-Rである。すなわち、今では緑の色がその三つ組の最初（すなわち左側）の個別指定可能表示素子２を占め、今では青の色がその三つ組の二番目（すなわち中央）の個別指定可能表示素子２を占め、最後に今では赤の色がその三つ組の三番目（すなわち右側）の個別指定可能表示素子２を占める。すなわち、内部的な色の順序が位置一つぶん左に巡回（またはシフト）され、緑が赤の位置に移り、青が緑の位置に移り、赤が青の位置に移っているのである。
【００４２】
２Ｄ用三つ組内での内部的な色の順序の、行方向４に沿った上記の巡回は、有利なことに、たとえば、次のことを意味する。色配列は図１の従来式レイアウトとは異なっており、よって図３を参照しつつ上記した裸眼立体視の改良を提供するが、たとえばEP-A-0791847およびWO2005/006777に挙げられている例とは違って、この実施形態では、隣接する個別指定可能表示素子２は常に異なる色であり、よって普通なら生じたであろう２Ｄ表示乱れを回避または軽減する。さらに、裸眼立体視動作に改良を与える色配列の他の従来技術の例とは異なり、この実施形態の巡回は、より一般的に２Ｄ用三つ組が乱されないような備えもする。すなわち、各２Ｄ用三つ組の３つの個別指定可能表示素子２は互いに隣り合ったままであり、それにより最適な解像度が得られる。
【００４３】
この実施形態では、第２行は第１行の繰り返しなので、第１行と第２行の間で列方向６には隣り合う２Ｄ用三つ組内の内部的な色の順序の巡回またはシフトはない。たとえば、第六の２Ｄ用三つ組２ｆ内の色の順序R-G-Bは第一の２Ｄ用三つ組２１ａ内の色の順序と同じである。これは、第３行と第４行の間、第５行と第６行の間などについてもあてはまる。
【００４４】
しかしながら、この実施形態では、洗練として、列方向６の隣り合う２Ｄ用三つ組内の内部的な色順序は、実は第２行と第３行の間および第４行と第５行の間などで巡回（すなわちシフト）されている。ただし、行間の、すなわち列方向６でのそのような巡回は本質的ではないことを注意しておく。たとえば他の実施形態では隣り合う２Ｄ三つ組内の内部的な色の順序は図３および図４で上記した行方向４には巡回されるが、列方向６の行どうしの間では隣り合う２Ｄ用三つ組内の内部的な色の順序の巡回はない。換言すれば、第１行の色の順序がすべての行で繰り返される。たとえば、上記の実施形態のそのようなある代替的なバージョンの場合、すべての行がR-G-B、次いでG-B-R、次いでB-R-Gなどの繰り返す三つ組の順序を有する。
【００４５】
（裸眼立体視動作と２Ｄ動作の間で）切り換え可能なカラー・ディスプレイ装置８のさらなる実施形態についてこれから図５および図６を参照しつつ述べる。これらのさらなる実施形態では、カラー・フィルタ１３は以下に述べるように異なる色配列が与えられるほか、また特記する場合のほかは、装置の詳細は上記の実施形態と同じであり、同様の部分は同様の参照符号によって示す。
【００４６】
図５は、（裸眼立体視動作と２Ｄ動作の間で）切り換え可能なカラー・ディスプレイ装置８のそのようなあるさらなる実施形態のカラー・フィルタ１３を示している。この実施形態では、裸眼立体視ディスプレイ１０は再び６ビュー・ディスプレイである。すなわち、レンティキュラー要素１６（図示せず）は、行内での個別指定可能表示素子２のピッチに関してそのような幅であり、傾き角αは６ビュー構成を提供するようなものである（ここではα＝arctan(1/6)）。
【００４７】
個別指定可能表示素子２は次のような色配列で構成される：
第１行に沿っては、R-G-B-G-B-R-B-R-Gという順序の反復生起；
第２行に沿っては、G-B-R-B-R-G-R-G-Bという順序の反復生起；
第３行に沿っては、B-R-G-R-G-B-G-B-Rという順序の反復生起；
第４行に沿っては第１行の繰り返し；
第５行に沿っては第２行の繰り返し；
第６行に沿っては第３行の繰り返し；
第７行（図示せず）に沿っては第１行および第４行の繰り返し；
以下同様。
【００４８】
こうして、この実施形態では、隣り合う２Ｄ用三つ組内の内部的な色の順序は、各行に沿って行方向４に、各行の間で列方向６に、どちらの方向にも巡回（またはシフト）される。
【００４９】
より詳細には、行方向４において、隣り合う２Ｄ用三つ組内の内部的な色の順序は、例として第１行を取ると、次のようになる。第１行に沿って：第一の２Ｄ用三つ組２３ａの内部的な色の順序はR-G-B；次いで第一の２Ｄ用三つ組２３ａに隣接する第二の２Ｄ用三つ組２３ｂは第一の２Ｄ用三つ組２３ａに対して巡回されていて、内部的な色の順序はG-B-Rとなる；次いで第二の２Ｄ用三つ組２３ｂに隣接する第三の２Ｄ用三つ組２３ｃは第二の２Ｄ用三つ組２３ｂに対して巡回されていて、内部的な色の順序はB-R-Gとなる；次いで第三の２Ｄ用三つ組２３ｃに隣接する第四の２Ｄ用三つ組２３ｄは第三の２Ｄ用三つ組２３ｃに対して巡回されていて、内部的な色の順序はR-G-Bとなる（つまり、第一の２Ｄ用三つ組２３ａの内部的な色の順序に戻っている）；以下同様。
【００５０】
より詳細にはまた、列方向６には、隣り合う２Ｄ用三つ組内の内部的な色の順序は、例として第１列を取ると、次のようになる。第１列の上から：第１行の２Ｄ用三つ組２３ａの内部的な色の順序はR-G-B；次いで第１行の２Ｄ用三つ組２３ａに隣接する第２行の２Ｄ用三つ組２３ｅは第１行の２Ｄ用三つ組２３ａに対して巡回されていて、内部的な色の順序はG-B-Rとなる；次いで第２行の２Ｄ用三つ組２３ｅに隣接する第３行の２Ｄ用三つ組２３ｆは第２行の２Ｄ用三つ組２３ｅに対して巡回されていて、内部的な色の順序はB-R-Gとなる；次いで第３行の２Ｄ用三つ組２３ｆに隣接する第４行の２Ｄ用三つ組２３ｇは第３行の２Ｄ用三つ組２３ｆに対して巡回されていて、内部的な色の順序はR-G-Bとなる（つまり、第一の２Ｄ用三つ組２３ａの内部的な色の順序に戻っている）；以下同様。
【００５１】
こうして、この実施形態では、隣り合う２Ｄ用三つ組の内部的な色の順序を巡回させるアプローチが行方向４と列方向６の両方に適用されている。これもまた、良好な２Ｄ動作をも達成しつつ裸眼立体視モードにおける改良された性能を与える。
【００５２】
隣り合う２Ｄ用三つ組の内部的な色の順序を巡回させるアプローチが列方向６には適用されるが行方向４には適用されないあるさらなる実施形態について、これから図６を参照しつつ述べる。
【００５３】
図６は、（裸眼立体視動作と２Ｄ動作の間で）切り換え可能なカラー・ディスプレイ装置８のそのようなあるさらなる実施形態のカラー・フィルタ１３を示している。この実施形態では、裸眼立体視ディスプレイ１０は４ビュー・ディスプレイである。すなわち、レンティキュラー要素１６（図示せず）は、行内での個別指定可能表示素子２のピッチに関してそのような幅であり、傾き角αは４ビュー構成を提供するようなものである（ここではα＝arctan(1/3)）。
【００５４】
個別指定可能表示素子２は次のような色配列で構成される：
第１行に沿っては、R-G-B-R-G-B-R-G-Bという順序の反復生起（すなわち、三つ組R-G-Bが単に繰り返される）；
第２行に沿っては、G-B-R-G-B-R-G-B-Rという順序の反復生起（すなわち、三つ組G-B-Rが単に繰り返される）；
第３行に沿っては、B-R-G-B-R-G-B-R-Gという順序の反復生起（すなわち、三つ組B-R-Gが単に繰り返される）；
第４行に沿っては第１行の繰り返し；
第５行に沿っては第２行の繰り返し；
第６行に沿っては第３行の繰り返し；
第７行（図示せず）に沿っては第１行および第４行の繰り返し；
以下同様。
【００５５】
こうして、この実施形態では、隣り合う２Ｄ用三つ組内の内部的な色の順序は各行に沿って行方向４には巡回（すなわちシフト）されない。しかし、隣り合う２Ｄ用三つ組内の内部的な色の順序は各行間で列方向６には巡回（すなわちシフト）される。
【００５６】
より詳細には、行方向４には、隣り合う２Ｄ用三つ組内の内部的な色の順序は同じに保たれる。こうして、たとえば、第１行に沿っては、２Ｄ用三つ組のすべては、参照符号２４ａ、２４ｂ、２４ｃおよび２４ｄで示されるものも含め、同じ内部的な色の順序R-G-Bを有する。
【００５７】
しかしながら、列方向６には、隣り合う２Ｄ用三つ組内の内部的な色の順序は、例として第１列を取ると、次のように巡回されている。第１列の上から：第１行の２Ｄ用三つ組２４ａの内部的な色の順序はR-G-B；次いで第１行の２Ｄ用三つ組２４ａに隣接する第２行の２Ｄ用三つ組２４ｅは第１行の２Ｄ用三つ組２４ａに対して巡回されていて、内部的な色の順序はG-B-Rとなる；次いで第２行の２Ｄ用三つ組２４ｅに隣接する第３行の２Ｄ用三つ組２４ｆは第２行の２Ｄ用三つ組２４ｅに対して巡回されていて、内部的な色の順序はB-R-Gとなる；次いで第３行の２Ｄ用三つ組２４ｆに隣接する第４行の２Ｄ用三つ組２４ｇは第３行の２Ｄ用三つ組２４ｆに対して巡回されていて、内部的な色の順序はR-G-Bとなる（つまり、第一の２Ｄ用三つ組２４ａの内部的な色の順序に戻っている）；以下同様。
【００５８】
この実施形態では、隣り合う２Ｄ用三つ組内の内部的な色の順序を巡回させるアプローチは、列方向６にのみ適用されている。すなわち、行方向４には適用されていない。これは、裸眼立体視のために異なる設計上の制約（ここでは４ビューの裸眼立体視ディスプレイ）のためには、いかに異なる配列が望ましいことがありうるかを示している。それでも、行方向および列方向の一方または両方の２Ｄ用三つ組の内部的な色の巡回により、そのような裸眼立体視改良が、比較的良好な２Ｄ性能を維持または提供しつつ達成することを可能にするのである。
【００５９】
上記の諸実施形態から、本発明は次の方法のいずれで具現されてもよいことは明らかであろう：
ａ）２Ｄ用三つ組内の色の順序が行方向、すなわち行に沿っては変わるが、列方向には変わらない、すなわち行から行にかけて変わることはない；
ｂ）２Ｄ用三つ組内の色の順序が列方向には、すなわち行から行にかけては変わるが、行方向には、すなわち行に沿っては変わらない；
ｃ）２Ｄ用三つ組内の色の順序が行方向に、すなわち行に沿っても、列方向に、すなわち行から行にかけても、どちらにも変わる。
【００６０】
上記の諸実施形態において、２Ｄ用三つ組の内部的な色の順序が巡回される向きは、ある第一の２Ｄ用三つ組において緑が中央の色であれば（たとえばR-G-B）、その行に沿って隣接する２Ｄ用三つ組（行に沿って左から右に考える）では色は左に巡回されて、緑は今度は左端の色になる（すなわちG-B-R）などといった向きである。しかしながら、他の実施形態では、そのような巡回は逆向きに行われてもよい。すなわち、色は右に巡回されて、緑がある第一の２Ｄ用三つ組の中央であれば（たとえばR-G-B）、その行に沿って隣接する２Ｄ用三つ組（行に沿って左から右に考える）では色は右に巡回されて、緑は今度は右端の色になる（すなわちB-R-G）などといった向きである。
【００６１】
さらに、２Ｄ用三つ組の内部的な色の順序が行方向にも列方向にも巡回される実施形態では、巡回は、行方向または列方向の一方についてはある向き（前段落で述べた右向きまたは左向き）で、行方向または列方向の他方については逆の向き（左向きまたは右向き）であってもよい。
【００６２】
上記の種々の実施形態について述べたような２Ｄ用三つ組の内部的な色の順序の巡回は、向上したまたは十分な３裸眼立体視性能を提供するレイアウトを設計する設計上の自由を許しつつ、比較的良好な２Ｄ視覚性能を維持する色配列に対する制約を与えるとりわけ有利な方法である。特に、上記の諸実施形態の巡回のアプローチは、巡回が実装される方向の隣り合う個別指定可能表示素子２が互いに同じ色ではないことを、そして隣り合う個別指定可能表示素子２の形で２Ｄ用三つ組が維持されることをも保証する。しかしながら、そのような巡回は、裸眼立体視モードのための設計上の自由を許しつつ２Ｄモードにおけるそのような望ましい性能が達成できる唯一の方法ではなく、他の実施形態では、厳密な巡回以外の他の２Ｄレイアウトを用いてもよい。たとえば、隣り合う２Ｄ用三つ組内の内部的な色の順序は、上記の諸実施形態より可変な仕方で変えてもよい。ただし、たとえば色の順序の変化が実装される方向の隣り合う個別指定可能表示素子どうしが互いに同じ色でないといった基準、あるいは少なくとも、ある行に沿った三つ組の大半の場合に（および／または列方向で）、色の順序の変化が実装される方向の隣り合う個別指定可能表示素子どうしが互いに同じ色でないといった基準を達成しつつのことである。たとえば、R-G-B-G-R-B-G-B-R-B-R-G-R-G-B-G-R-B-G-B-R-B-R-G-G-R-B-R-G-B-……といった順序である。
【００６３】
裸眼立体視性能を改善するため、あるいはそれ以外で裸眼立体視動作を考慮するために色配列設計を実装するときに、たとえば改良された設計上の柔軟性を提供する意図で色配列を設計するときに、当業者が考える必要があるかもしれない要因がいくつかある。そのような要因としては、個別指定可能表示素子の大きさ、個別指定可能表示素子のピッチ、達成すべきビューの数、レンティキュラー要素のピッチと幅などのレンティキュラー・レンズの詳細、レンティキュラー・レンズの個別指定可能表示素子のアレイに対する傾き角の値などが含まれる。上記の諸実施形態では、ある種の裸眼立体視設計の制約にとって有益なある種の色配列が呈示されている。しかしながら、そのような実施形態は、裸眼立体視効果のための色配列を開発したい当業者にとって利用可能な非常に広範囲の可能性のほんの数例にすぎず、本発明がこの広範囲の可能性に適用可能であることは認識しておくべきである。よって、本発明は、上記の特定の裸眼立体視色配列（すなわち、個別指定可能表示素子の色配列とレンティキュラー・レンズ特性との組み合わせから導かれるもの）に限定されるものではなく、本発明は、個別指定可能表示素子の色配列とレンティキュラー・レンズ特性との任意の組み合わせによって得られる任意の裸眼立体視色配列に適用可能である。それには、個別指定可能表示素子の色配列が、たとえば２Ｄ用三つ組の内部的な色の順序の巡回または２Ｄ用三つ組の内部的な色の順序のその他の変化によって、２Ｄモードでの望ましい性能を達成する上記の諸方法を提供するようなものであればよい。また、本発明によって提供される２Ｄレイアウト制約のもとで設計されたいかなる構想される裸眼立体視レイアウトの好適さも、当業者によって、たとえばシミュレーション、試行錯誤などを使って、容易かつルーチン的に評価されうることも認識しておくべきである。すなわち、本発明から、上記のような隣り合う２Ｄ用三つ組の間の内部的な色の順序の上記の巡回または変化の制約に従った種々の色配列を試し、結果として得られる裸眼立体視性能および２Ｄ性能（たとえば、空間解像度、ビューの数などの観点からの）をモデル化または他の仕方で評価して、形成した任意の特定のレイアウトの有用性を評価することは、十分、当業者の領域内のことである。
【００６４】
上記の実施形態では、行方向および／または列方向に直接隣り合う２Ｄ用三つ組について、２Ｄ用三つ組内での色の順序が変化、たとえば巡回されている。しかしながら、そのような巡回（またはその他の変化）は直接隣り合う２Ｄ用三つ組において行われる必要はなく、他の実施形態ではそのような巡回（またはその他の変化）は、行方向および／または列方向で、必ずしも隣り合わないいくつかの２Ｄ用三つ組で行われてもよい。たとえば、巡回（またはその他の変化）は行方向に、ある行に沿って１つおきの２Ｄ用三つ組においてのみ、および／または列方向に１行おきにのみ実装されてもよい。
【００６５】
上記の諸実施形態では、第１行の第一の２Ｄ用三つ組の内部的な色配列はR-G-Bであるが、この通りである必要はない。他の実施形態では、これは他のいかなる順序、すなわち、R-B-G、G-B-R、G-R-B、B-R-GあるいはB-G-Rでもよい。
【００６６】
さらに、上記の諸実施形態では、色は赤、緑および青だが、この通りである必要はない。他の実施形態では、たとえばシアン、マゼンタおよびイエローなど、他の色を使ってもよい。
【００６７】
さらに、他の実施形態では、４色以上の色があってもよい。たとえば、他の実施形態では、個別指定可能表示素子はたとえば赤、緑、青および「白」などの４色であってもよい。この場合、各色について一つの個別指定可能表示素子からなる集まりは、ここでは通常の場合のように三つ組と称するが、「三つ組（triplet）」の語の文字通りの意味にもかかわらず、実は４つの個別指定可能表示素子を含みうる。同様に、ここで使っている「三つ組」の用語は、赤、緑および青の個別指定可能表示素子の数が等しくない実施形態をも包含する。たとえば、ピクセル（ここでいう「三つ組」）が青の個別指定可能表示素子１つ、赤の個別指定可能表示素子２つおよび緑の個別指定可能表示素子２つを有するディスプレイの場合である。
【００６８】
上記の諸実施形態では、裸眼立体視動作を提供するよう光を異なる位置に指向させるために、縦のレンティキュラー要素を含むレンティキュラー・シート（レンズ）が使用されているが、他の実施形態では、そのような光指向を実行する他のいかなる適切な光指向手段を代わりに用いてもよい。
【００６９】
上記の諸実施形態では、レンティキュラー・シートは、列方向に対して傾いた角度に配置されるが、この通りである必要はない。他の実施形態では、レンティキュラー・シートは列方向に実質的に平行に配置されてもよい。
【００７０】
上記の諸実施形態では、レンティキュラー・シートのレンティキュラー要素のピッチは、マルチビュー（すなわち３つ以上のビュー）裸眼立体視動作を提供するために個別指定可能表示素子の行方向のピッチとの関係で選ばれているが、この通りである必要はない。他の実施形態では、裸眼立体視ディスプレイは「２ビュー画像」、すなわち単一の３Ｄ画像を提供するだけでもよい。また、再びマルチビューの実施形態を考えると、４または６以外の数のビューを設けてもよい。たとえば、７ビュー、９ビュー、そしてさらには4.5などの小数のビューなどである。
【００７１】
上記の諸実施形態では、（裸眼立体視動作と２Ｄ動作の間で）切り換え可能なカラー・ディスプレイ装置におけるカラー・フィルタのさまざまな形が用いられている。これは、裸眼立体視動作および２Ｄ動作両方に対するその提供利点のため、上記のカラー・フィルタ・レイアウトの特に有益な使用である。しかしながら、上記のカラー・フィルタ・レイアウトが裸眼立体視モードのみのために使用される場合でも、すなわち実際には２Ｄ動作で使われない場合でも、利点が得られることは認識されるであろう。よって、本発明は、そのようなカラー・フィルタを有する裸眼立体視カラー・ディスプレイ装置においても、そのような裸眼立体視カラー・ディスプレイ装置が２Ｄモードに切り換え可能でない場合、すなわちそのような装置が切り換え可能拡散器を有さない場合でさえも、実施されうる。
【００７２】
上記の諸実施形態では、ディスプレイ装置が２Ｄモードと立体視モードの間で切り換え可能な形で与えられる場合、そのような切り換え機能は切り換え可能拡散器によって与えられている。しかし、この通りである必要はない。他の実施形態では、他の切り換え可能手段が設けられる。たとえば、US6,069,650などに記載される液晶レンズなどの能動レンズなどである。前記文献の内容はここに参照によって含められる。
【００７３】
さらに、本発明は、上記の諸実施形態において記載したようなカラー・フィルタ・レイアウトをもつカラー・フィルタ自身としても実施される。この場合、上記においてカラー・フィルタ自身の関連領域の存在から帰結する有効カラー表示素子を指すのに「個別指定可能表示素子」の用語が使われているところは、別個のカラー・フィルタの場合には、個別のカラー素子２は「個別カラー・フィルタ素子２」と称するのが便利でありうる。種々の色の個別指定可能表示素子２の相対色配列に関して上記の諸実施形態において記載された詳細は、そのようなカラー・フィルタの実施形態における種々の色の個別カラー・フィルタ素子の相対色配列に、上記に対応する仕方であてはまる。
【００７４】
本発明の諸実施形態には裸眼立体視ディスプレイ装置に対するさまざまな既知の洗練が容易に適用されうることは認識されるであろう。たとえば、明るさの変動を減らすため、レンティキュラー・レンズが焦点をぼかした仕方で動作するよう構成されてもよい。
【００７５】
上記の諸実施形態では、本発明はカラー・アクティブ・マトリクス液晶ディスプレイにおいて実施されているが、他の実施形態では、本発明は他の形のカラー・アレイ・ディスプレイ装置において実施されてもよい。たとえば、有機発光ダイオード（OLED）ディスプレイ装置または「電子インク」ディスプレイ装置などである。
【００７６】
上記の諸実施形態では、本発明は直視型ディスプレイ装置において実施されているが、他の実施形態では、本発明はEP-A-0791847において記載されるような投影型ディスプレイ装置において実施されてもよい。前記文献の内容はここに参照によって組み込まれる。
【図面の簡単な説明】
【００７７】
【図１】従来式のカラー・フィルタにおいて各色、赤・青・緑（それぞれR、G、Bと示される）の個別指定可能表示素子の従来式のレイアウトを示す（縮尺は正確ではない）図である。
【図２】（裸眼立体視動作と２Ｄ動作の間で）切り換え可能なカラー・ディスプレイ装置の概略的な斜視図である。
【図３】図２のカラー・ディスプレイ装置のカラー・フィルタおよびレンティキュラー・シートのさらなる詳細を示す（縮尺は正確ではない）図である。
【図４】図２のカラー・ディスプレイ装置のカラー・フィルタの２Ｄ用三つ組のいくつかを示す図である。
【図５】（裸眼立体視動作と２Ｄ動作の間で）切り換え可能なカラー・ディスプレイ装置のさらなる例のカラー・フィルタを示す図である。
【図６】（裸眼立体視動作と２Ｄ動作の間で）切り換え可能なカラー・ディスプレイ装置のさらなる例のカラー・フィルタを示す図である。
【図１】
2008537160.tif 000003
【図２】
2008537160.tif 000004
【図３】
2008537160.tif 000005
【図４】
2008537160.tif 000006
【図５】
2008537160.tif 000007
【図６】
2008537160.tif 000008
【国際調査報告】
2008537160.tif 000009
2008537160.tif 000010
2008537160.tif 000011